(57)【特許請求の範囲】
【請求項１】
電気部品が収容されるソケット本体と、該ソケット本体に回動自在に保持され、回動されることにより前記電気部品を押圧及び開放可能なラッチ部材とを備えた電気部品用ソケットにおいて、
前記ラッチ部材は、前記ソケット本体に回動自在に保持される基部と、該基部から両側方に突出する突部と、該基部から内側に突出して前記電気部品に当接して押圧する押圧部とを有し、
一方、前記ソケット本体は、前記基部の回動底面の内側及び下側への移動のみを規制しつつ回動自在に保持する下部保持部と、該下部保持部の両側方に互いに対向する方向に弾性変形可能に形成されて、前記突部の両側方から弾性力により当該突部の回動頂面に係止した状態で、該回動頂面の上側及び外側への移動を規制しつつ回動自在に保持する上部保持部とを有し、
前記ラッチ部材と前記ソケット本体との間に前記押圧部が前記電気部品を押圧する方向に付勢する付勢手段を備えたことを特徴とする電気部品用ソケット。
【請求項２】
前記ソケット本体に上下動自在に操作部材が設けられる一方、前記ラッチ部材に前記突部から外側へ延長された延長部が設けられ、該操作部材により前記延長部が押圧されることにより、前記ラッチ部材が開く方向に回動するように構成されていることを特徴とする請求項１に記載の電気部品用ソケット。
【請求項３】
前記付勢手段は、圧縮スプリングからなり、前記ラッチ部材の前記回動底面より外側に形成された係止部とソケット本体との間に前記圧縮スプリングが配設されていることを特徴とする請求項１又は２に記載の電気部品用ソケット。
【発明の詳細な説明】
【技術分野】
【０００１】
この発明は、半導体装置等の電気部品を装着するのに好適な電気部品用ソケット、特に、ソケット本体に装着される電気部品を、ソケット本体に回動自在に備えられたラッチ部材により押圧できる電気部品用ソケットの改良に関する。
【背景技術】
【０００２】
従来、半導体装置（以下、ＩＣパッケージ）等の精密な電気部品を配線基板と接続するための電気部品用ソケットとして、配線基板上に配置されるソケット本体と、このソケット本体に回動自在に設けられたラッチ部材とを有し、ソケット本体上に収容される電気部品をラッチ部材により押圧及び開放可能に支持するように構成されたものが知られている。
【０００３】
このような電気部品用ソケットとして、例えば、下記特許文献１には、ソケット本体に収容される電気部品を押圧及び開放可能なラッチ部材が、ソケット本体に回動自在に配設された構造が提案されている。
【０００４】
ここでは、ラッチ部材の下部から両側方側に回動軸部を突出させて設け、一方、ソケット本体には回動軸部を支持するために、一対の柱状に突出する保持凹部を設け、この保持凹部内に回動軸部を回動自在に配置し、回動軸部の内側及び外側への移動を規制すると共に、回動軸部の下側をソケット本体に当接させて下側への移動を規制している。更に、保持凹部と共に係止部を設け、この係止部の上部をフック状に突出させて係止片とし、この係止片を回動軸部の上側に係止させて上側への移動を規制している。
【０００５】
このような電気部品用ソケットでは、保持凹部及び係止部により回動軸部を自在に保持すると共に回動軸部の抜けを防止することによりラッチ部材が所定の位置で回動自在となっている。そのため、操作部材を下降操作してラッチ部材の被押圧部を下方に押圧することで、ラッチ部材を回動軸部を中心に確実に回動させることができる。
【特許文献１】特開２００３−７４１６号公報
【発明の開示】
【発明が解決しようとする課題】
【０００６】
しかしながら、このような電気部品用ソケットでは、ソケット本体にラッチ部材を回動自在に保持する部分とラッチ部材の抜けを防止する部分とを設け、ラッチ部材から突出する回動軸部をこれらの両方で支持するため、回動軸部の突出量を多くしなければならず、ラッチ部材の横幅が広くなり小型化を図り難く、また、これらを配置するソケット本体の小型化を図り難いという問題点があった。
【０００７】
そこで、本発明は、ラッチ部材を回動可能に装着できると同時にラッチ部材及びソケット本体の小型化を図ることが可能な電気部品用ソケットを提供することを課題とする。
【課題を解決するための手段】
【０００８】
上記課題を解決する請求項１に記載の発明は、電気部品が収容されるソケット本体と、該ソケット本体に回動自在に保持され、回動されることにより前記電気部品を押圧及び開放可能なラッチ部材とを備えた電気部品用ソケットにおいて、前記ラッチ部材は、前記ソケット本体に回動自在に保持される基部と、該基部から両側方に突出する突部と、該基部から内側に突出して前記電気部品に当接して押圧する押圧部とを有し、一方、前記ソケット本体は、前記基部の回動底面の内側及び下側への移動のみを規制しつつ回動自在に保持する下部保持部と、該下部保持部の両側方に互いに対向する方向に弾性変形可能に形成されて、前記突部の両側方から弾性力により当該突部の回動頂面に係止した状態で、該回動頂面の上側及び外側への移動を規制しつつ回動自在に保持する上部保持部とを有し、前記ラッチ部材と前記ソケット本体との間に前記押圧部が前記電気部品を押圧する方向に付勢する付勢手段を備えたことを特徴とする。
【０００９】
請求項２に記載の発明は、請求項１に記載の構成に加え、前記ソケット本体に上下動自在に操作部材が設けられる一方、前記ラッチ部材に前記突部から外側へ延長された延長部が設けられ、該操作部材により前記延長部が押圧されることにより、前記ラッチ部材が開く方向に回動するように構成されていることを特徴とする。
【００１０】
請求項３に記載の発明は、請求項１又は２に記載の構成に加え、前記付勢手段は、圧縮スプリングからなり、前記ラッチ部材の前記回動底面より外側に形成された係止部とソケット本体との間に前記圧縮スプリングが配設されていることを特徴とする。
【発明の効果】
【００１１】
請求項１に記載の発明によれば、ソケット本体の下部保持部によりラッチ部材の基部の回動底面を内側及び下側への移動を規制しつつ回動自在に保持し、上部保持部によりラッチ部材の突部を上側及び外側への移動を規制しつつ回動自在に保持するので、回動軸部を設けることなく、ラッチ部材を回動自在にソケット本体に装着することができる。その際、ラッチ部材の基部の回動底面を下部保持部により保持するので、基部から側方に突出する突部を上部保持部で保持するだけでよく、突出量を抑えることができ、ラッチ部材の横幅を狭く抑え易い。また、突部の突出量を抑えることができると共に、下部保持部をラッチ部材の下方位置に配置するので、ラッチ部材を回動自在に保持するために必要なスペースをより少なく抑えることができ、ソケット本体の小型化も図り易い。
【００１２】
請求項２に記載の発明によれば、ソケット本体に上下動自在に操作部材が設けられる一方、ラッチ部材に突部から外側へ延長された延長部が設けられ、この操作部材により延長部が押圧されて、ラッチ部材が開く方向に回動するように構成されているので、簡単な構成でラッチ部材を操作部材の上下動に対応して開閉することができ、より構造を簡単にし易い。
【００１３】
請求項３に記載の発明によれば、付勢手段が圧縮スプリングからなり、ラッチ部材の回動底面より外側に形成された係止部とソケット本体との間に圧縮スプリングが配設されているので、圧縮スプリングをソケット本体の外側から装着することができ、電気部品用ソケットの組立が容易である。
【発明を実施するための最良の形態】
【００１４】
以下、この発明の実施の形態について説明する。
【００１５】
図１乃至図１１は、この発明の実施の形態を示す。
【００１６】
まず構成を説明すると、図中符号１１は「電気部品用ソケット」としてのＩＣソケットで、このＩＣソケット１１は「電気部品」としてのＩＣパッケージ１２を収容して、このＩＣパッケージ１２を図示省略の配線基板と電気的に接続することにより、そのＩＣパッケージ１２のバーンイン試験等を行うためのものである。
【００１７】
ＩＣパッケージ１２は、図１１（ａ）（ｂ）に示すように、方形状の「電気部品本体」としてのパッケージ本体１２ａの下面に、複数の略球形状の「端子」としての半田ボール１２ｂが形成されている。
【００１８】
一方、ＩＣソケット１１は、図１乃至図４に示すように、このＩＣパッケージ１２を収容可能な収容部１１ａを有するソケット本体１４に、ＩＣパッケージ１２の半田ボール１２ｂに電気的に接続可能な複数のコンタクトピン１５が配設されている。各コンタクトピン１５は、ソケット本体１４のベース部１３に固定されると共に、ソケット本体１４に上下動自在に装着されて上方に付勢された移動部材１６に上端が保持されており、移動部材１６の上下動によりコンタクトピン１５の上端が開閉して半田ボール１２ｂと離接されるようになっている。
【００１９】
ソケット本体１４の上方には操作部材１８が上下動自在に装着されており、この操作部材１８が圧縮スプリング１９により上方に付勢されている。移動部材１６は、この操作部材１８の上下動によりレバー部材１７を介して上下動させられるようになっている。
【００２０】
操作部材１８の下部には、下方に突出して案内突片１８ａが設けられ、その端部側がソケット本体１４に設けられた案内溝１４ａに収容されて、上下動の際、案内突片１８ａが案内溝１４ａに案内されるようになっている。
【００２１】
そして、操作部材１８を圧縮スプリング１９の付勢力に抗して下降させると、収容部１１ａが所定位置に維持された状態で、レバー部材１７により移動部材１６が下降され、これによりコンタクトピン１５の先端が開いて半田ボール１２ｂの挿入及び離脱が可能となる。また、操作部材１８が圧縮スプリング１９の付勢力により上昇させると、移動部材１６が上昇してコンタクトピン１５の先端が閉じるようになっている。
【００２２】
この実施の形態では、このようなソケット本体１４において、操作部材１８の上昇時に図１の図面下側に示すように閉じ、操作部材１８の下降時に図１の図面上側に示すように開くラッチ部材２１が、ソケット本体１４のベース部１３に一対設けられたラッチ部材装着部１３ａに回動自在に装着されている。
【００２３】
ラッチ部材２１は、合成樹脂により一体に形成され、図５に示すように、基部２３と、この基部２３から両側方に突出する突部２４と、基部２３から使用時に内側となる一方側に突出して先端側で両側方に拡幅した押圧部２５とを有している。
【００２４】
基部２３の底部には、図６、図９及び図１０に示すように、ラッチ部材２１の回動時の回動軸に相当する軸線Ｌを中心とした下向きの半円柱形状を呈する回動底面２６を有している。また、この回動底面２６より使用時に外側となる位置には、後述する圧縮スプリング４１用の係止部２７が設けられている。
【００２５】
基部２３から両側方に突出する突部２４は、図７及び図８に示すように、それぞれ内側部位と延長部としての外側部位とが所定角度で連結された形状を呈している。内側部位の上部には、軸線Ｌを中心とした略半円柱形状の回動頂面２８が設けられている。この回動頂面２８の半径は回動底面２６の半径と同一となっているが、異ならせてもよい。外側部位の上部には、軸線Ｌと直交する面の断面形状が軸線Ｌに沿って一定の略三角形形状を有する押し下げ部２９が設けられている。この押し下げ部２９は操作部材１８の下降時に操作部材１８に設けられた押し下げ片４２により押し下げられて、ラッチ部材２１を回動させることが可能となっている。
【００２６】
押圧部２５は、図５及び図７乃至図１０に示すように、軸線Ｌと並行に配置される先端部２５ａを有しており、ラッチ部材２１の回動により先端部２５ａが、ＩＣソケット１１の収容部１１ａに近接又は当接した図９に示す位置と、収容部１１ａから退避した図１０に示す位置との間で移動可能となっている。
【００２７】
一方、ソケット本体１４のベース部１３には、このラッチ部材２１が装着されるラッチ部材装着部１３ａが設けられており、図４並びに図６乃至図１０に示されるように、基部２３の回動底面２６を保持する下部保持部３１と、両側の突部２４の回動頂面２８を保持する一対の上部保持部３２と、基部２３の係止部２７に対向する位置に設けられた凹部３３とを備えている。
【００２８】
下部保持部３１は、図９及び図１０に示されるように、ラッチ部材装着部１３ａを収容部１１ａと区画するための壁部３４に、ソケット本体１４の外側方向に突出して一体に形成されている。その頂部には、回動底面２６が上方から摺動可能に当接する回動底面受け面３５が形成されている。この回動底面受け面３５は、回動底面２６に対応して軸線Ｌに沿って一定形状に形成され、軸線Ｌと直交する面の断面形状が回動底面２６と略同一径又はやや大きい径となっている。この回動底面受け面３５は、内側端が壁部３４の表面から連続し、外側端３５ａが最も低くなるように形成されている。ここでは、回動底面２６がこの回動底面受け面３５に当接した状態で、内側及び下側への移動が規制された状態で回動自在に保持されている。
【００２９】
上部保持部３２は、図６乃至図８に示されるように、ラッチ部材装着部１３ａの下部保持部３１の側方外側の位置、詳細には、各突部２４の回動頂面２８の側方端部に、柱状に上方に突出して設けられている。
【００３０】
各上部保持部３２の上端側には、それぞれ互いに対向する側に突出するフック状部３６が形成されている。各フック状部３６の突部２４側には、回動頂面２８が下方から摺動可能に当接する回動頂面受け面３７が設けられている。この回動頂面受け面３７は、回動頂面２８に対応し、軸線Ｌと直交する面の断面形状が回動頂面２８と略同一径又はやや大きい径となっている。また、内側端３７ａが最も高く、また外側端３７ｂが最も低くなっている。ここでは、回動頂面２８がこの回動頂面受け面３７に当接した状態で、上側及び外側への移動が規制された状態で回動自在に保持されている。
【００３１】
また、この上部保持部３２では、各突部２４側の側壁面が軸線Ｌを横切るように形成されて、突部２４の側方先端が摺動可能に当接しており、これによりラッチ部材２１の側方への移動が規制されている。従って、この実施形態では、下部保持部３１及び上部保持部３２により、ラッチ部材２１の６方向全ての移動が規制されている。
【００３２】
更に、この上部保持部３２はソケット本体１４と合成樹脂により一体化されて弾性変形可能となっている。また、上部保持部３２のフック状部３６の上部側には、図６に示すように、ラッチ部材２１側に傾斜面からなる側方案内面３８が形成されている。そのため、ラッチ部材２１を装着する際には、ラッチ部材２１をソケット本体１４の上方から側方案内面３８に押し付けて下降させれば、側方案内面３８に案内されて、各突部２４の先端をそれぞれ回動頂面受け面３７に嵌合させることが可能となっている。
【００３３】
最後に、ラッチ部材２１の基部２３の係止部２７に対向する位置には、凹部３３が傾斜して設けられている。この凹部３３には、ラッチ部材２１の基部２３の係止部２７との間に付勢手段としての圧縮スプリング４１が装着されている。ここでは凹部３３及び係止部２７がソケット本体１４のより外側に形成されているため、ソケット本体１４の外側から圧縮コイルスプリング４１の着脱を行うことが可能となっている。
【００３４】
以上のように組み立てられたＩＣソケット１１では、ラッチ部材２１の基部２３の回動底面２６がラッチ部材装着部１３ａの下部保持部３１の回動底面受け面３５により内側及び下側への移動を規制しつつ回動自在に保持され、同時に、突部２４の回動頂面２８が上部保持部３２の回動頂面受け面３７により上側及び外側への移動を規制しつつ回動自在に保持されており、これらの回動底面２６と回動頂面２８とが同一の回動軸Ｌを中心に略円柱形に形成されているので、ラッチ部材２１は回動軸Ｌを中心に回動することが可能となっている。
【００３５】
また、ラッチ部材２１の係止部２７とソケット本体１４の凹部３３との間に圧縮スプリング４１が装着されているので、ラッチ部材２１は押圧部２５をＩＣソケット１１の収容部１１ａ側に閉じる方向に常時付勢されている。
【００３６】
そして、このような構成のＩＣソケット１１にＩＣパッケージを装着するには、まず、操作部材１８を押圧すると、案内溝１４ａに案内突片１８ａが案内されて、操作部材１８が下降する。この下降に伴い、操作部材１８のラッチ部材装着部１３ａに対応する位置に設けられた押し下げ片４２が下降し、圧縮スプリング４１の付勢力に抗して押し下げ部２９を押し下げる。
【００３７】
このとき、ラッチ部材２１の回動底面２６周りの部分は図９の閉じた状態から図１０の開いた状態まで回動する。また、ラッチ部材２１の突部２４周りの部分は図７の閉じた状態から図８の開いた状態まで回動する。これにより、ラッチ部材２１の押圧部２５は、図１の図面下側の閉じた状態から図１の図面上側の開いた状態まで、完全に収容部１１ａから退避する。これと同時に、移動部材１６が下降し、各コンタクトピン１５の上端部がそれぞれ弾性変形して開口する。
【００３８】
この状態で、収容部１１ａにＩＣパッケージ１２を収容すると、ＩＣパッケージ１２の各半田ボール１２ｂが各コンタクトピン１５の開口している上端部に挿入される。
【００３９】
その後、操作部材１８の押圧力を解除すると、操作部材１８が上昇し、移動部材１６が上昇し、各コンタクトピン１５の上端部が閉じて半田ボール１２ｂと接続する。同時に、ラッチ部材装着部１３ａでは、押し下げ片４２が上昇することにより押し下げ部２９が圧縮スプリング４１の付勢力により上昇してラッチ部材２１が回動し、押圧部２５が図１の図面下側の状態のように閉じ、この付勢力によりＩＣパッケージ１２を押圧する。そして、この状態でＩＣパッケージ１２のテストが実施される。
【００４０】
一方、ＩＣパッケージ１２を取り出すには、再び、操作部材１８を下降させ、前記と同様にして、押圧部２５を退避させると共に、コンタクトピン１５を開口させれば取り出すことができる。
【００４１】
以上のようなＩＣソケット１１によれば、ソケット本体１４の下部保持部３１によりラッチ部材２１の回動底面２６を保持し、上部保持部３２によりラッチ部材２１の突部２４を保持するので、回動軸部材を設けることなく、ラッチ部材２１を回動自在にソケット本体１４に取付けることができる。その際、ラッチ部材２１の基部２３の回動底面２６をその下方に配設された下部保持部３１により保持するため、基部２３から側方に突出する突部２４を上部保持部３２で保持するだけでよく、突部２４の保持部分が少ないため、その突出量を少なくすることが可能である。従って、ラッチ部材２１の横幅を狭く抑え易い。
【００４２】
また、突部２４の突出量を抑えることができると共に、下部保持部３１をラッチ部材２１の下方位置に配置するので、ラッチ部材２１を回動自在に保持するためにソケット本体１４に必要なスペースを少なく抑えることができ、ソケット本体１４の小型化を図り易い。
【００４３】
更に、ソケット本体１４に上下動自在に操作部材１８が設けられ、一方、ラッチ部材２１に突部２４から外側へ延長された延長としての押し下げ部２９部が設けられ、この操作部材１８により押し下げ部２９を押圧して、ラッチ部材２１を開く方向に回動させるように構成されているので、簡単な構成でラッチ部材２１を操作部材１８の上下動に対応して開閉することができ、より構造を簡単にし易い。
【００４４】
しかも、ここでは押し下げ部２９が回動頂面２８と一体に形成されているので、別々に設けた場合に比べて、強度を確保し易く、また、突出部分の小型化を図り易い。
【００４５】
また、付勢手段が圧縮スプリング４１からなり、ラッチ部材２１の回動底面２６より外側に形成された係止部２７とソケット本体１４との間に圧縮スプリング４１が配設されているので、圧縮スプリング４１をソケット本体１４の外側から装着することができ、ＩＣソケット１１の組立が容易である。
【００４６】
なお、この発明は上記実施の形態に限定されるものではなく、適宜変更可能であり、例えば上記では、ラッチ部材２１を一対設けた例について説明したが、ラッチ部２１は一つであってもよく、３つ以上の多数設けることも可能である。また、下部保持部３１や上部保持部３２、コンタクトピン１５等の数や形状も適宜選択可能である。
【図面の簡単な説明】
【００４７】
【図１】この発明の実施の形態に係るＩＣソケットの平面図である。
【図２】同実施の形態に係るＩＣソケットの正面図であり、操作部材が開放されている状態を示す。
【図３】同実施の形態に係るＩＣソケットの正面図であり、操作部材が押圧されている状態を示す。
【図４】同実施の形態に係るＩＣソケットの一部を断面で示す側面図である。
【図５】同実施の形態に係るＩＣソケットのラッチ部材の斜視図である。
【図６】同実施の形態に係るＩＣソケットのラッチ部材の正面図である。
【図７】同実施の形態に係るＩＣソケットのラッチ部材を閉じた状態を示す図２のＡ−Ａ断面相当図である。
【図８】同実施の形態に係るＩＣソケットのラッチ部材を開いた状態を示す図２のＡ−Ａ断面相当図である。
【図９】同実施の形態に係るＩＣソケットのラッチ部材を閉じた状態を示す図２のＢ−Ｂ断面相当図である。
【図１０】同実施の形態に係るＩＣソケットのラッチ部材を開いた状態を示す図２のＢ−Ｂ断面相当図である。
【図１１】ＩＣパッケージを示し、（ａ）は側面図、（ｂ）は底面図である。
【符号の説明】
【００４８】
１１  ＩＣソケット（電気部品用ソケット）
１１ａ  収容部
１２  ＩＣパッケージ（電気部品）
１３  ベース部
１３ａ  ラッチ部材装着部
１４  ソケット本体
１５  コンタクトピン
１８  操作部材
２１  ラッチ部材
２３  基部
２４  突部
２５  押圧部
２６  回動底面
２７  係止部
２８  回動頂面
３１  下部保持部
３２  上部保持部
３５  回動底面受け面
３６  フック状部
３７  回動頂面受け面
４１  圧縮スプリング（付勢手段）
【図１】
0004822887.tif 000002
【図２】
0004822887.tif 000003
【図３】
0004822887.tif 000004
【図４】
0004822887.tif 000005
【図５】
0004822887.tif 000006
【図６】
0004822887.tif 000007
【図７】
0004822887.tif 000008
【図８】
0004822887.tif 000009
【図９】
0004822887.tif 000010
【図１０】
0004822887.tif 000011
【図１１】
0004822887.tif 000012